(57)【特許請求の範囲】
【請求項１】
部品収容凹所の多数個を備えた紙製のキャリアテープと，このキャリアテープの表面に対し前記各部品収容凹所を塞ぐように熱溶着にて接着されるトップテープとから成るテープ状包装体において，
前記紙製のキャリアテープが，当該キャリアテープのうちこれに前記トップテープを接着する表面の部分に，当該表面に前記トップテープを接着するよりも前に水分散系樹脂を含浸したのち乾燥して成る樹脂層を有しており，前記各部品収容凹所が，前記紙製のキャリアテープの表面から有底状に凹み形成された構成であることを特徴とするテープ状包装体。
【請求項２】
部品収容凹所の多数個を備えた紙製のキャリアテープと，このキャリアテープの表面に対し前記各部品収容凹所を塞ぐように熱溶着にて接着されるトップテープとから成るテープ状包装体において，
前記紙製のキャリアテープが，当該キャリアテープのうちこれに前記トップテープを接着する表面の部分に，当該表面に前記トップテープを接着するよりも前に水溶性樹脂を含浸したのち乾燥して成る樹脂層を有しており，前記各部品収容凹所が，前記紙製のキャリアテープの表面から有底状に凹み形成された構成であることを特徴とするテープ状包装体。
【請求項３】
部品収容凹所の多数個を備えた紙製のキャリアテープと，このキャリアテープの表面に対し前記各部品収容凹所を塞ぐように熱溶着にて接着されるトップテープとから成るテープ状包装体において，
前記紙製のキャリアテープが，当該キャリアテープのうちこれに前記トップテープを接着する表面の部分に，当該表面に前記トップテープを接着するよりも前に水分散系樹脂及び水溶性樹脂を混合したものを含浸したのち乾燥して成る樹脂層を有しており，前記各部品収容凹所が，前記紙製のキャリアテープの表面から有底状に凹み形成された構成であることを特徴とするテープ状包装体。
【発明の詳細な説明】
【０００１】
【発明の属する技術分野】
本発明は，チップ抵抗器等の電子部品を収容する部品収容凹所の多数個を備えた紙製のキャリアテープと，このキャリアテープの表面に前記各部品収容凹所を塞ぐように熱溶着にて接着される合成樹脂製のトップテープとから成るテープ状包装体に関するものである。
【０００２】
【従来の技術】
一般に，この種のテープ状包装体は，図１及び図２に示すように，厚い紙製のキャリアテープ１に，部品収容凹所２の多数個を，長手方向に適宜ピッチの間隔で一列状に並べて穿設する一方，前記キャリアテープ１の裏面に，ポリエチレン等の合成樹脂のフィルムによるボトムテープ３を貼着し，この状態で，前記キャリアテープ１を矢印Ａで示す長手方向に移送する途中において，その各部品収容凹所２の各々に電子部品４を装填し，次いで，前記キャリアテープ１の表面に対して，合成樹脂製フィルムによるトップテープ５を，前記各部品収容凹所２を塞ぐように重ねて接着するという構成である。
【０００３】
この場合，従来におけるテープ状包装体は，前記トップテープ５を，ポリエチレン等の熱可塑性合成樹脂製にするか，その裏面にホットメルト接着剤層を形成し，このトップテープ５を前記キャリアテープ１の表面に重ねたのち，このトップテープ５を，当該トップテープ５のうち前記部品収容凹所２の列における左右両側の部分を加熱した鏝ローラ６又は鏝体にてキャリアテープ１に対して押圧することにより，前記トップテープ５を部分的に溶融するか，その裏面に形成したホットメルト接着剤層を部分的に溶融するという熱溶着にて接着するようにしている。
【０００４】
【発明が解決しようとする課題】
しかし，前記従来は，紙製のキャリアテープ１に対するトップテープ５の接着が，当該トップテープ５の一部，又はその裏面のホットメルト接着剤層を鏝ローラ６又は鏝体の押圧により部分的に熱溶融しての接着であることから，以下に述べるように，各電子部品をキャリアテープ１における各部品収容凹所２内から取り出すに際して，前記トップテープ５をキャリアテープ１から剥離するときにおいて，トップテープ５に静電気が帯電し，この静電気によって電子部品がトップテープ５側に付着してキャリアテープ１における部品収容凹所２内から飛び出して消失することが多発するという問題があった。
【０００５】
すなわち，従来によるトップテープ５の紙製のキャリアテープ１に対する熱溶着による接着が，キャリアテープ５の表面における紙繊維が前記トップテープ５又はホットメルト接着剤層のうち加熱にて溶融する部分に対してめり込んだ状態になっていることにより，次に，前記トップテープ５をキャリアテープ１から剥離するときにおいて，キャリアテープ５の表面における紙繊維が当該トップテープ５又はホットメルト接着剤層に対してめり込んだ状態から引き抜かれるような形態を呈し，このときに，紙繊維と合成樹脂との異なった物質同士の擦り合わせが発生するから，前記トップテープ５に静電気が帯電するのである。
【０００６】
本発明は，この問題，トップテープをキャリアテープから剥離するときにおいて，当該トップテープに静電気を帯電することがないようにすることを技術的課題とする。
【０００７】
【課題を解決するための手段】
この技術的課題を達成するため本発明は，
「部品収容凹所の多数個を備えた紙製のキャリアテープと，このキャリアテープの表面に対し前記各部品収容凹所を塞ぐように熱溶着にて接着されるトップテープとから成るテープ状包装体において，
前記紙製のキャリアテープが，当該キャリアテープのうちこれに前記トップテープを接着する表面の部分に，当該表面に前記トップテープを接着するよりも前に水分散系樹脂魔又は水溶性樹脂を含浸したのち乾燥して成る樹脂層を有するか，或いは，前記水分散系樹脂及び水溶性樹脂を混合したものを含浸したのち乾燥して成る樹脂層を有しており，前記各部品収容凹所が，前記紙製のキャリアテープの表面から有底状に凹み形成された構成である。」
ことを特徴としている。
【０００８】
この場合において，前記水分散系樹脂としては，エマルジョン又はディスバージョンできるポリアクリル酸エステル系樹脂又はスチレンアクリル樹脂を挙げることができ，これらのうち一種を使用するか，これらの二種以上を混合して使用することが好ましい。
【０００９】
また，前記水溶性樹脂としては，水に対して溶解するポリビニルアルコール，カルボシキメチルセルロース，キトサン，各種澱粉又は水溶性ポリエステル等を挙げることができ，これらのうち一種を使用するか，これらの二種以上を混合して使用することが好ましい。
【００１０】
【発明の作用・効果】
このように，紙製のキャリアテープのうちこれに前記トップテープを接着する表面の部分に，水分散系樹脂又は水溶性樹脂を含浸したのち乾燥して成る樹脂層を形成するか，或いは，前記水分散系樹脂及び水溶性樹脂を混合したものを含浸したのち乾燥して成る樹脂層を形成することにより，ここに使用した水分散系樹脂及び水溶性樹脂は，いずれも，常温等のように低い温度の状態では，紙繊維を互いに結合するというバインダーとして機能を十分に有しているものの，その耐熱性が著しく低くて，低い温度で機械的強度が低下することにより，前記キャリアテープに対してトップテープを熱溶着するときの温度による熱負荷を受けると，紙繊維を互いに結合するというバインダーとしての機能が大幅に低減することになる。
【００１１】
つまり，前記キャリアテープの表面に対してトップテープを熱溶着にて接着した部分においては，水分散系樹脂及び／又は水溶性樹脂を含浸したのち乾燥して成る樹脂層が前記トップテープの熱溶着するときにおける熱負荷を受けることのために，この部分における紙繊維同士の結合が熱負荷を受けない部分よりも大幅に弱くなるから，前記キャリアテープの表面における紙繊維のうち前記トップテープ側にめり込んだ状態になっている紙繊維は，前記トップテープをキャリアテープから剥離するときにおいて，前記トップテープ側にめり込んだ状態から引き抜かることなく前記トップテープ側にめり込んだ状態を保ったままで，当該トップテープと一緒に，キャリアテープ側における紙繊維から引き剥がれることになる。
【００１２】
換言すると，前記トップテープの剥離に際しては，キャリアテープの表面の部分における紙繊維がキャリアテープ側から引き剥がされることになるから，紙繊維とトップテープ側の合成樹脂との擦り合いが発生すること，ひいては，トップテープに静電気が帯電することを確実に回避でき，キャリアテープにおける部品収容凹所内の部品が飛び出して消失することを確実に低減できるのである。
【００１３】
【発明の実施の形態】
以下，本発明の実施の形態を，図４及び図５の図面に基づいて説明する。なお，図３は参考例であるが，本発明の場合もこの参考例と基本的に同様の構成及び手順を採用しているので，これらの参考例も利用しながら，本発明の実施形態を説明することとする。
【００１４】
図３の参考例において，符号１は，キャリアテープを示す。
【００１５】
このキャリアテープ１は，前記した従来と同様に，厚い紙製で，且つ，部品収容凹所２の多数個が長手方向に沿って長手方向に適宜ピッチの間隔で一列状に並べて穿設され，更に，その裏面１ｂには，ポリエチレン等の合成樹脂のフィルムによるボトムテープ３が貼着されている。
【００１６】
これに加えて，前記キャリアテープ１には，前記した従来と同様に，その各部品収容凹所２内に電子部品等を装填したのち，その表面１ａに，ポリエチレン等の熱可塑性合成樹脂製のトップテープ５，又は裏面にホットメルト接着剤層を形成して成るトップテープを重ねたのち，このトップテープ５を，当該トップテープ５のうち前記部品収容凹所２の列における左右両側の部分を加熱した鏝ローラ６又は鏝体にてキャリアテープ１に対して押圧することにより，前記トップテープ５を部分的に溶融するか，その裏面に形成したホットメルト接着剤層を部分的に溶融するという熱溶着にて接着する。
【００１７】
そして，前記キャリアテープ１における表面１ａの部分には，これにトップテープ５を接着する前において，エマルジョン又はディスバージョンできるポリアクリル酸エステル系樹脂又はスチレンアクリル樹脂等の水分散系樹脂を水に混合した状態で含浸したのち乾燥することによって，樹脂層７を形成する。
【００１８】
この場合，前記キャリアテープ１の表面１ａの部分に対して水分散系樹脂を含浸するに際しては，第１に，エマルジョン又はディスバージョン化して成る水分散系樹脂の一種類又は複数種類を水と混合して塗布するという手段を採用することができる。
【００１９】
また，第２に，前記キャリアテープ１の素材である厚い紙を，紙漉き法にて製造する場合，最初に漉いた紙層に次の紙層を重ねて漉くといういわゆる多層漉き法が採用されていることに鑑み，キャリアテープ１のうち表面１ａの部分における紙層を漉く工程のときにおいて，その紙パルプ液に対して，前記エマルジョン又はディスバージョン化して成る水分散系樹脂の一種類又は複数種類を混ぜるという手段を採用することができる。
【００２０】
このように紙製のキャリアテープ１のうちこれに前記トップテープ５を接着する表面の部分に，水分散系樹脂を含浸したのち乾燥して成る樹脂層７を形成することにより，ここに使用した水分散系樹脂は，常温等のように低い温度の状態では，紙繊維を互いに結合するというバインダーとして機能を十分に有しているものの，その耐熱性が著しく低くて，低い温度で機械的強度が低下することにより，前記キャリアテープ１に対してトップテープ５を熱溶着するときの温度による熱負荷を受けると，紙繊維を互いに結合するというバインダーとしての機能が大幅に低減することになる。
【００２１】
つまり，前記キャリアテープ１の表面のうちこれに対してトップテープ５を熱溶着にて接着した部分においては，前記した水分散系樹脂による樹脂層７が前記トップテープ５を熱溶着するときにおける熱負荷を受けることのために，この部分における紙繊維同士の結合が熱負荷を受けない部分よりも大幅に弱くなるから，前記キャリアテープ１の表面における紙繊維のうち前記トップテープ５側にめり込んだ状態になっている紙繊維は，前記トップテープ５をキャリアテープ１から剥離するときにおいて，前記トップテープ５側にめり込んだ状態から引き抜かることなく前記トップテープ５側にめり込んだ状態を保ったままで，当該トップテープ５と一緒に，キャリアテープ１側における紙繊維から引き剥がれることになる。
【００２２】
ところで，水に対して溶解するポリビニルアルコール，カルボシキメチルセルロース，キトサン，各種澱粉又は水溶性ポリエステル等の水溶性樹脂は，前記ポリアクリル酸エステル系樹脂又はスチレンアクリル樹脂等の水分散系樹脂と略同じ性質を有することから，この水溶性樹脂の一種類又は複数種類を，前記水分散系樹脂に代えて使用することができる。
【００２３】
そして，本発明は，図４に示すように，前記キャリアテープ１′を薄い紙製にして，このキャリアテープ１′に設けられる各部品収容凹所２′を，エンボス加工にて，前記キャリアテープ１′の表面から有底状の凹み形成して成る構成にするか，或いは，図５に示すように，前記キャリアテープ１″を厚い薄い紙製にして，このキャリアテープ１″に設けられる各部品収容凹所″を，プレスにて，前記キャリアテープ１″の表面から有底状に凹み形成して成る構成したものである。
【図面の簡単な説明】
【図１】テープ状包装体を示す斜視図である。
【図２】図１のII−II視拡大断面図である。
【図３】参考例によるテープ状包装体を示す拡大断面図である。
【図４】本発明によるテープ状包装体におけるキャリアテープを示す斜視図である。
【図５】本発明によるテープ状包装体における別のキャリアテープを示す斜視図である。
【符号の説明】
１，１′，１″                キャリアテープ
２，２′，２″                部品収容凹所
３                            ボトムテープ
４                            電子部品
５                            トップテープ
７                            樹脂層
【図１】
0003954433.tif 000002
【図２】
0003954433.tif 000003
【図３】
0003954433.tif 000004
【図４】
0003954433.tif 000005
【図５】
0003954433.tif 000006